(57)【要約】【課題】レンズ装置の前面に、各種のフィルタを容易かつ確実に装着すること。【解決手段】フィルタ１１とフィルタ１１の外縁部を支持するフレーム１２とからなるフィルタ装置１０を、レンズ装置１の前面に着脱可能に装着するための装着機構を提供する。この装着機構は、フレーム１２の外側で、フィルタ１１の板面に対して垂直方向に延び、かつ、フィルタ装置１の背面側に突出するように配設されるネジ２２と、フレーム１２の外側に取り付けられ、ネジ２２を回転可能に支持する支持部材２１と、ネジ２２に螺嵌され、ネジ２２の回転に伴って回動又は垂直方向に移動可能な可動爪２３と、ネジ２２により回動された可動爪２３を掛止位置に係止する第１ストッパ２７と、ネジ２２により回動された可動爪２３を待避位置に係止する第２ストッパ２８とを備える。【選択図】図１
2009169088.tif 000002
【特許請求の範囲】
【請求項１】
フィルタと前記フィルタの外縁部を支持するフレームとからなるフィルタ装置を、レンズ装置の前面に着脱可能に装着するための装着機構において：
前記フレームの外側で、前記フィルタの板面に対して垂直方向に延び、かつ、前記フィルタ装置の背面側に突出するように配設されるネジと；
前記フレームの外側に取り付けられ、前記ネジを回転可能に支持する支持部材と；
前記ネジに螺嵌され、前記ネジの回転に伴って回動又は前記垂直方向に移動可能な可動爪と；
前記ネジにより回動された前記可動爪を掛止位置に係止する第１ストッパと；
前記ネジにより回動された前記可動爪を待避位置に係止する第２ストッパと；
を備え、
前記ネジを正方向に回転させると、前記可動爪が、前記第１ストッパにより前記掛止位置に係止された状態で、前記フィルタ装置の前面側に移動することで、前記レンズ装置の鏡筒に形成された段差部が前記可動爪により掛止され、
前記ネジを逆方向に回転させると、前記可動爪が、前記第２ストッパにより係止される前記待避位置まで回動することで、前記可動爪による前記レンズ装置の前記段差部の掛止が解除されることを特徴とする、フィルタ装置の装着機構。
【請求項２】
前記フィルタの外縁部は、前記フレームに対する前記支持部材の取付位置に対応する箇所が切り欠かれていることを特徴とする、請求項１に記載のフィルタ装置の装着機構。
【請求項３】
前記ネジに外挿され、前記ネジに螺嵌された前記可動爪に対して弾性力を与えるバネをさらに備えることを特徴とする、請求項１に記載のフィルタ装置の装着機構。
【請求項４】
前記フレームの内側に着脱可能に嵌合される環状のアダプタをさらに備えることを特徴とする、請求項１に記載のフィルタ装置の装着機構。
【請求項５】
前記第１ストッパ及び前記第２ストッパは、前記支持部材を加工して形成されることを特徴とする、請求項１に記載のフィルタ装置の装着機構。
【発明の詳細な説明】
【技術分野】
【０００１】
本発明は、フィルタ装置の装着機構に関し、特に、フィルタ装置をレンズ装置に容易かつ確実に着脱するための装着機構に関する。
【背景技術】
【０００２】
撮像装置やプロジェクタ等の電子機器では、光学像を撮像又は投影するためのレンズ装置を備えている。レンズ装置は、その鏡筒内に複数のレンズ、フィルタ、絞り等の光学部品を内蔵しているが、レンズ装置が内蔵していない光学部品（例えば、特殊な用途のフィルタ等）を、レンズ装置の前面に追加設置したいケースも存在する。
【０００３】
例えば、映画館においてデジタルシネマの上映に用いられるプロジェクタは、遠距離のスクリーンに投影するために明るい光源を有している。かかるプロジェクタをノンシネマ用途で使用する場合（例えば、フライトシミュレーション、自動車デザインの投影など）、近距離で投影すると映像が明るすぎるので、プロジェクタのレンズ装置に、減光のためのＮＤ（Ｎｅｕｔｒａｌ  Ｄｅｎｓｉｔｙ）フィルタを事後的に装着する必要がある。
【０００４】
このように、レンズ装置に別途のフィルタを追加設置するとき、レンズ装置の前面に専用の嵌合機構（例えば特許文献１参照）が設けられていない場合や、レンズ装置の鏡筒にフィルタを螺着するためのネジ溝等が形成されていない場合には、レンズ装置に当該フィルタを取り付けることができない。このため、かかる場合は、例えば、プロジェクタの前面にフィルタ用のスタンドを立てる、或いは、プロジェクタ本体から延びるアームにフィルタを取り付けるなどして、レンズ装置とは別の部材にフィルタを取り付けていた。
【０００５】
【特許文献１】特開２００６−３３０３７９号公報
【発明の開示】
【発明が解決しようとする課題】
【０００６】
ところが、プロジェクタのレンズ装置は、上下や左右に動かす必要がある場合がある。しかしながら、上記従来のフィルタの取付方法では、レンズ装置の移動時に、レンズ装置の動きに合わせて、別部材に取り付けられたフィルタの位置も調節する必要があり、作業が煩雑であった。また、レンズ装置にフィルタを直接取り付けるとしても、テープや紐などで取り付けるやり方は、確実とはいえない。
【０００７】
そこで、本発明は、上記問題に鑑みてなされたものであり、本発明の目的とするところは、フィルタ取付用のネジ溝等が形成されていないレンズ装置の前面に、各種のフィルタを容易かつ確実に装着することが可能な、新規かつ改良されたフィルタ装置の装着機構を提供することにある。
【課題を解決するための手段】
【０００８】
上記課題を解決するために、本発明のある観点によれば、フィルタと前記フィルタの外縁部を支持するフレームとからなるフィルタ装置を、レンズ装置の前面に着脱可能に装着するための装着機構において：前記フレームの外側で、前記フィルタの板面に対して垂直方向に延び、かつ、前記フィルタ装置の背面側に突出するように配設されるネジと；前記フレームの外側に取り付けられ、前記ネジを回転可能に支持する支持部材と；前記ネジに螺嵌され、前記ネジの回転に伴って回動又は前記垂直方向に移動可能な可動爪と；前記ネジにより回動された前記可動爪を掛止位置に係止する第１ストッパと；前記ネジにより回動された前記可動爪を待避位置に係止する第２ストッパと；を備え、前記ネジを正方向に回転させると、前記可動爪が、前記第１ストッパにより前記掛止位置に係止された状態で、前記フィルタ装置の前面側に移動することで、前記レンズ装置の鏡筒に形成された段差部が前記可動爪により掛止され、前記ネジを逆方向に回転させると、前記可動爪が、前記第２ストッパにより係止される前記待避位置まで回動することで、前記可動爪による前記レンズ装置の前記段差部の掛止が解除されることを特徴とする、フィルタ装置の装着機構が提供される。なお、掛止位置は、可動爪がレンズ装置の鏡筒に形成された段差部を掛止可能な方向に起立した位置であり、待避位置は、可動爪が当該段差部を掛止しない方向に待避した位置である。
【０００９】
かかる構成により、フィルタ装置をレンズ装置の前面に装着するときには、フィルタ装置のフレームをレンズ装置の前面側に嵌合した状態で、ネジを正方向に回転させると、可動爪が待避位置から掛止位置まで回動して、第１ストッパにより係止され、当該掛止位置に係止された状態の可動爪がフィルタ装置の前面側に移動することによって、レンズ装置の鏡筒に形成された段差部が可動爪により掛止される。また、レンズ装置に装着されたフィルタ装置を取り外すときには、ネジを逆方向に回転させると、可動爪がフィルタ装置の背面方向に移動して、掛止位置から待避位置まで回動することによって、可動爪によるレンズ装置の段差部の掛止が解除される。これにより、フィルタ装置に設けられた装着機構によって、フィルタ装置をレンズ装置に容易かつ確実に着脱できる。
【００１０】
また、前記フィルタの外縁部は、前記フレームに対する前記支持部材の取付位置に対応する箇所が切り欠かれているようにしてもよい。かかる構成により、フィルタと支持部材とが重ならないように支持部材の取付スペースを確保できるので、フィルタ装置に支持部材を取り付けても小型化できる。
【００１１】
さらに、前記ネジに外挿され、前記ネジに螺嵌された前記可動爪に対して弾性力を与えるバネを備えるようにしてもよい。かかる構成により、バネから与えられた弾性力により可動爪とネジとの結合力を高めることができるで、ネジの回転力が可動爪に伝達されて、可動爪２３がネジとともに好適に回動できる。
【００１２】
さらに、前記フレームの内側に着脱可能に嵌合される環状のアダプタを備えるようにしてもよい。かかる構成により、レンズ装置の径に応じたアダプタをフレーム内側に嵌合させることで、フレームがアダプタを介してレンズ装置と嵌合するため、装着機構は相異なる複数の外径を有するレンズ装置に対応できるようになる。
【００１３】
また、前記第１ストッパ及び前記第２ストッパは、前記支持部材を加工して形成されるようにしてもよい。かかる構成により、ストッパと支持部材を一体形成できるので、装着機構の部品数を低減し、簡単な構造にできる。
【００１４】
また、前記フィルタ装置の前面側にある前記ネジの端部に、前記フィルタよりも前面側に突出した位置に摘みが設けられるようにしてもよい。かかる構成により、フィルタ装置の前面側から手で摘みを回すことで、摘みと一体形成されたネジを回転させることができる。
【発明の効果】
【００１５】
以上説明したように本発明によれば、フィルタ取り付け用のネジ溝等が形成されていないレンズ装置の前面に、各種のフィルタを容易かつ確実に装着することができる。
【発明を実施するための最良の形態】
【００１６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１７】
以下に、本発明の第１の実施形態にかかるフィルタ装置の装着機構について説明する。なお、以下の説明では、映画館においてデジタルシネマの上映に用いられるプロジェクタが具備する比較的大口径（例えば１７０φ、１８０φ等）のレンズ装置の前面に、減光用のＮＤフィルタを装着する例について説明する。しかし、本発明のレンズ装置及びフィルタ装置は、かかる例に限定されるものではない。
【００１８】
まず、図１を参照して、本実施形態にかかるレンズ装置１の構成について説明する。図１は、本実施形態にかかるフィルタ装置１０が装着されたレンズ装置１を示す斜視図である。
【００１９】
図１に示すように、レンズ装置１は、プロジェクタ（図示せず。）の前面から突出するように設けられている。プロジェクタは、例えば、映像信号に対応した画像を形成するライトバルブと、光源から出射された光をライトバルブに導く照明手段と、ライトバルブ上の像を拡大投射する投射レンズなどを備えている。レンズ装置１の鏡筒２は、全体として略円筒形状を有するハウジングであり、この鏡筒２の内部には、例えば、投射レンズ（いずれも図示せず。）を含むレンズ群、フィルタなどの光学部品が光軸上に配列されている。かかるレンズ装置１を備えたプロジェクタは、光源から出射された光を特殊な鏡を用いて赤、緑、青の三原色に分離し、各色専用のライトバルブ（３ＬＣＤ等）で形成した映像を、合成して、レンズ装置１からスクリーンに向けて投影する。なお、レンズ装置１は、プロジェクタ又は撮像装置等の装置本体に固定的に据え付けられるタイプであってもよいし、着脱可能なタイプであってもよい。
【００２０】
フランジ３は、レンズ装置１の鏡筒２の先端部（前面側）に位置する最大径の環状部分であり（図８等参照）、このフランジ３にフィルタ装置１０が取り付けられる。フランジ３の径は例えば約１７０φ、１８０φであり、フランジ３の幅は例えば約２０ｍｍ〜３５ｍｍである。また、レンズ装置１の鏡筒２の外周面には、複数の段差部からなる凹凸が形成されている。このうちのレンズ装置１の最前面側にある段差部４（即ち、フランジ３の背面側の段差部）に、フィルタ装置１０の装着機構の可動爪（詳細は後述する。）が引っ掛けられる。
【００２１】
次に、図１〜図４を参照して、本実施形態にかかるフィルタ装置１０について詳細に説明する。図２、図３は、本実施形態にかかるフィルタ装置１０をそれぞれ前面側、背面側から見た斜視図である。図４は、本実施形態にかかるフィルタ装置１０とアダプタ１６を示す分解斜視図である。
【００２２】
図１〜図３に示すように、フィルタ装置１０は、レンズ装置１０が内蔵していないフィルタ１１（例えばＮＤフィルタ）などからなり、レンズ装置１の前面側（即ち、光軸方向前方）に装着具２０Ａ、２０Ｂ（“装着具２０”と総称する場合もある。）によって着脱可能に装着される。かかるフィルタ装置１０をレンズ装置１に後付けすることで、ＮＤフィルタによる減光機能などの別途機能をレンズ装置１に追加することができる。
【００２３】
フィルタ装置１０は、略円板形状のフィルタ１１と、当該フィルタ１１の外縁部を支持する環状のフレーム１２と、フレーム１２の両側に取り付けられた一対の装着具２０Ａ、２０Ｂとからなる。
【００２４】
図２及び図３に示すように、フィルタ１１は、例えば、ＮＤフィルタなどを構成するフィルタ板であり、略円板形状のガラス板で形成される。フィルタ１１の径は、レンズ装置１の先端部にあるフランジ３の径と略同程度である。
【００２５】
フレーム１２は、レンズ装置１のフランジ３の外径に応じた径を有する環状の支持部材である。このフレーム１２は、フレームカバー１３とフレーム本体１４とからなり、フィルタ１１の外縁部を光軸方向前後から挟持する。フレームカバー１３とフレーム本体１４は、略同一の外径を有しており、それらの外径はフィルタ１１の径よりも大きく、内径はフィルタ１１の径よりも小さい。フレームカバー１３とフレーム本体１４との間にフィルタ１１を挟み込んだ状態で、フレームカバー１３をフレーム本体１４に例えば６つのネジ１５で螺着する。これにより、フレームカバー１３とフレーム本体１４とによりフィルタ１１の外縁部が挟持される。
【００２６】
また、図２に示すように、フレームカバー１３は、全体としては略環状であるが、部分的に幅広部１３ａが形成されている。この幅広部１３ａは、フレームカバー１３の内周縁を部分的に直線形状に形成したものであり、少なくとも２つの装着具２０Ａ、２０Ｂの取付箇所に対応する位置に形成される。図示の例のフレームカバー１３では、装着具２０Ａ、２０Ｂのブラケット２１の取付箇所に対応する位置（左右２箇所)を含む、上下左右の４箇所に、幅広部１３ａが対称に形成される。これにより、後述するようにフィルタ１１の外縁部が例えば４箇所で切り欠かれている場合（図７参照。）であっても、フレームカバー１３により当該フィルタ１１を好適に挟持できる。また、フレームカバー１３における装着具２０Ａ、２０Ｂの取付箇所に対応する箇所には、後述するネジ２２の摘み２６の設置スペースを確保するために、例えば略半円状の切り欠き１３ｂが形成されている。
【００２７】
また、図３及び図４に示すように、本実施形態にかかるフィルタ装置１０では、各種サイズ（フランジ３の径）のレンズ装置１に装着できるようにするために、フレーム１２の内周にアダプタ１６を着脱可能に嵌合することができる。アダプタ１６は、フレーム１２のフレーム本体１４の内周部に着脱自在に嵌合される環状部材である。このアダプタ１６の外径はフレーム本体１４の内径と略同一であり、アダプタ１６の内径は、レンズ装置１のフランジ３の外側に嵌合できる径である。アダプタ１６の内周面には、内側に向けて張り出したリング状の受け部１６ａが形成されている。
【００２８】
さらに、図４に示すように、フレーム本体１４の内周面には、内側に向けて張り出したリング状の受け部１４ａが形成されている。これにより、フレーム本体１４の内側にアダプタ１６を嵌め込んだときに、アダプタ１６と受け部１４ａが当接するので、アダプタ１６をフレーム本体１４内側に安定して嵌合できる。このようにして、図３に示すように、アダプタ１６をフレーム本体１４の内側に嵌合した状態で、フレーム本体１４の背面側の端面に形成されたネジ孔１４ｂ（図４参照。）にネジ１７を螺合する。これにより、ネジ１７の頭によってアダプタ１６が掛止されるので、アダプタ１６が脱落しないようにフレーム本体１４に固定できる。
【００２９】
このようなアダプタ１６を使用することで、１つのフィルタ装置１０を、多様なサイズの複数のレンズ装置１に装着できるようになる。例えば、フィルタ装置１０のフレーム１２を大径のレンズ装置１（例えば１８０φ）に対応する大きさに形成しておき、当該フィルタ装置１０を大径のレンズ装置１（例えば１８０φ）に装着する際には、アダプタ１６を使用せずに、フィルタ装置１０のフレーム本体１４をそのまま当該レンズ装置１の先端のフランジ３に嵌合させる。このとき、図４に示すようなフレーム本体１４の受け部１４ａは、レンズ装置１のフランジ３に直接当接する。
【００３０】
一方、当該フィルタ装置１０を小径のレンズ装置１（例えば１７０φ）に装着する際には、フィルタ装置１０のフレーム本体１４内にアダプタ１６を装着・固定して、フレーム本体１４をアダプタ１６を介して当該レンズ装置１の先端のフランジ３に嵌合させる。このとき、図４に示すようなフレーム本体１４の受け部１４ａはアダプタ１６に当接し、アダプタ１６の受け部１６ａは、レンズ装置１のフランジ３に当接する。
【００３１】
なお、アダプタ１６は、１種類だけ用いてもよいし、レンズ装置１のフランジ３の径に応じて、相異なる径を有する２種類以上のアダプタ１６を用いてもよい。かかるアダプタ１６を用いることで、フィルタ装置１０が多様なサイズのレンズ装置１に対応できるようになり、汎用性が高まる。
【００３２】
次に、さらに図１〜図６を参照して、本実施形態にかかるフィルタ装置１０の装着機構について詳細に説明する。図５Ａ、図６Ａはそれぞれ、本実施形態にかかるフィルタ装置１０の装着機構において可動爪２３を寝かせた状態、起立させた状態を示す斜視図であり、図５Ｂ、図６Ｂはそれぞれ、図５Ａ、図５Ｂの部分拡大図である。
【００３３】
図１〜図６に示すように、フィルタ装置１０の装着機構は、フィルタ１１を保持するレンズ装置１のフランジ３に嵌合されるフレーム１２と、フレーム１２の外側に背面方向（レンズ装置１側）に突出して取り付けられる装着具２０Ａ、２０Ｂとから構成される。かかる装着機構は、フレーム１２の背面側に形成された嵌合部（上記フレーム本体１４の受け部１４ａに相当する。）を、レンズ装置１の先端部にある最外径部であるフランジ３に嵌合するとともに、レンズ装置１の鏡筒２に形成された段差部４を装着具２０の可動爪２３により掛止する。これにより、フレーム１２と可動爪２３とによってレンズ装置１のフランジ３を挟持して、フィルタ装置１０をレンズ装置１の前面に装着することができる。
【００３４】
図示の例では、装着具２０Ａ、２０Ｂは、フレーム２０の左右両側に２つ取り付けられているが、かかる例に限定されず、３以上の装着具２０をフレーム１２に取り付けてもよい。また、レンズ装置１にフィルタ装置１０を安定的に装着するためには、複数の装着具２０をフレーム１２の外周に沿って等間隔に配置することが好ましい。以下に、装着具２０の構成について詳述する。
【００３５】
図５及び図６に示すように、装着具２０は、フィルタ装置１の背面側に突出するようにフレーム１２の外周面に取り付けられるブラケット２１と、当該ブラケット２１により回転可能に支持されるネジ２２と、ネジ２２に螺嵌されてネジ２２の回転に伴って回動又は光軸方向に移動可能な可動爪２３と、ネジ２２の後端部をブラケット２１から外れないように係止する止め輪２４と、ネジ２２に外挿され、可動爪２３に対して光軸方向の弾性力を与えるバネ２５と、フィルタ装置１０の前面側のネジ２２の先端部に設けられた摘み２６と、ネジ２２により回動された可動爪２３を掛止位置で係止する第１ストッパ２７と、ネジ２２により回動された可動爪２３を待避位置で係止する第２ストッパ２８と、を備える。
【００３６】
ブラケット２１は、ネジ２２を回転可能に支持するための支持部材の一例である。ブラケット２１は、フィルタ装置１０の背面側に向かって突出するようにして、フレーム１２の外周面に取り付けられる。このブラケット２１の取付手法については後述する（図７参照。）。このブラケット２１は、例えば、１枚の金属板を、平坦な略直方体形状の箱型に折り曲げ加工等して形成される。即ち、ブラケット２１は、最大面積の底面２１ａと、この底面２１ａに対して略垂直な４つ側面（前側面２１ｂ、後側面２１ｃ、右側面２１ｄ、左側面２１ｅ）とからなる箱型である。
【００３７】
かかるブラケット２１の底面２１ａの一部分が、第２ストッパ２８を構成し、底面２１ｂの中央部分をカットして折り曲げ加工した部分が、第１ストッパ２７を構成する。つまり、本実施形態では、支持部材であるブラケット２１を加工することで、第１ストッパ２７及び第２ストッパ２８が形成されており、ブラケット２１と第１ストッパ２７及び第２ストッパ２８とが一体構成されている。これにより、装着具２０の部品数を削減し、装置構成を単純化できるため、製造コスト及び労力を低減できる。なお、第１ストッパ又は第２ストッパを、ブラケット２１のような支持部材とは別部材で構成することも勿論可能である。
【００３８】
また、ブラケット２１の右側面２１ｄ及び左側面２１ｅには、例えばＬ字形の切り欠き２１ｆが形成されている。これにより、ブラケット２１の右側面２１ｄ、左側面２１ｅの切り欠き２１ｆをフレーム１２の外周に嵌め込んで、ブラケット２１をフレーム１２に好適に取り付けることができる。
【００３９】
また、ブラケット２１の前側面２１ｂ及び後側面２１ｃには、ネジ２２の両端部を貫通させるための貫通孔（図示せず。）が形成されている。ここで、ブラケット２１にネジ２２を取り付ける手法を説明する。まず、ネジ２２の雄ねじ部をブラケット２１の前面側から光軸方向に挿入して、前側面２１ｂ、後側面２１ｃの順に貫通させる。次いで、ブラケット２１の後側面２１ｃの背面側に突出したネジ２２の後端部に止め輪２４を嵌める。ネジ２２の先端部側には、雄ねじ部より大径の摘み２６が一体形成されているので、摘み２６はブラケット２１の前側面２１ｂの貫通孔を貫通できずに、前側面２１ｂで係止される。このようにしてブラケット２１にネジ２２を取り付けることで、フレーム１２の外側で光軸方向に延びるようにネジ２２を配置できるともに、ブラケット２１によりネジ２２を回転可能に支持できる。
【００４０】
さらに、図２に示したように、フレームカバー１３の外縁部に、ネジ２２の摘み２６を配設するための切り欠き１３ｂを形成することで、ネジ２２をフレーム１２の外周面にほぼ接するように近接配置するとともに、ブラケット２１自体を極力薄く形成する。これにより、装着具２０をフィルタ装置１０に取り付けても、フィルタ装置１０の全体径が大きくなることを抑制でき、フィルタ装置１０をコンパクトな構造にできる。従って、レンズ装置１を覆うレンズカバー（図示せず。）が設けられている場合でも、レンズカバーにより邪魔されることなく、レンズカバー内でフィルタ装置１０をレンズ装置１に装着できる。
【００４１】
ネジ２２は、可動爪２３を回動させるとともに、可動爪２３をフィルタ１１の板面に対して垂直方向（即ち、レンズ装置１の光軸方向）に移動させる機能を有する。このネジ２３は、上記のように、フレーム１２の外側で、フィルタ１１の板面に対して垂直方向（即ち、レンズ装置１の光軸方向）に延び、かつ、フィルタ装置１の背面側に突出するように配設され、上記ブラケット２１により回転可能に支持される。このように、ネジ２２の雄ねじ部の大半は、フィルタ装置１０の背面側に突出しているが、ネジ２２の先端部は、フィルタ装置１０の前面側に突出している。このネジ２２の先端部側には、ネジ２２を手で回すための摘み２６が、フィルタ装置１０の前面側に突出するように設けられている。これにより、使用者はこの摘み２６を摘んで、ネジ２２を正逆方向に回すことができる。また、ネジ２２の雄ねじ部には、可動爪２３が螺嵌されるとともに、バネ２５が外挿されている。
【００４２】
可動爪２３は、フィルタ装置１０をレンズ装置１に取り付けたときに、レンズ装置１の鏡筒２の外周面に形成された段差部４を掛止する機能を有する。この可動爪２３は、例えば、略直方体形状の金属片で形成される。図５Ｂ及び図６Ｂに示すように、可動爪２３の基部には、ネジ２２と螺合するネジ孔２３ａが貫通形成されている。また、可動爪２３の先端部は、柔軟性を有する樹脂で形成された被覆材２３ｂで被覆されている。これにより、可動爪２３で掛止したときに、レンズ装置１の鏡筒２を傷つけないようにできる。
【００４３】
かかる可動爪２３は、ネジ２２に螺嵌される。これにより、ネジ２２の回転に伴って可動爪２３がネジ２２を中心として回動する、或いは、ネジ２２の回転に伴って可動爪２３がフィルタ１１の板面に対して垂直方向（光軸方向）に移動することが可能となる。
【００４４】
バネ２５は、ネジ２２の回転に応じて好適に可動爪２３を回動させるために、可動爪２３に光軸方向の弾性力を付与して、可動爪２３にネジ２２の回転力を伝達する機能を有する。バネ２５は、例えば、コイルスプリングなどの弾性部材で構成され、ネジ２２に外挿される。図示の例では、バネ２５は、フランジ２１の前側面２１ｂと可動爪２３との間で、ネジ２２に外挿されている。これにより、バネ２５は、フランジ２１の前側面２１ｂと可動爪２３とで挟み込まれて圧縮した状態となるので、バネ２５は可動爪２３をフィルタ装置１０の背面方向（光軸方向後方）に押圧して、当該方向に弾性力を与える。この結果、可動爪２３とネジ２２との結合力が高まり、ネジ２２を回転させたときに、可動爪２３がネジ２２とともに安定して回動できるようになり、可動爪２３の自重によりネジ２２に対して空回りすることを防止できる。
【００４５】
上記構造により、可動爪２３は、ネジ２２の回転に伴って、ネジ２２に対して垂直な平面内でネジ２２を中心として回動するようになる。ネジ２２を正方向（例えば、フィルタ装置１０の前面から見て右回し方向）に回したときには、可動爪２３も正方向（右方向）に回動する。一方、ネジ２２を逆方向（例えば、フィルタ装置１０の前面から見て左回し方向）に回したときには、可動爪２３も逆方向（左方向）に回動する。
【００４６】
かかる可動爪２３の回動軌跡上に、第１ストッパ２７と、第２ストッパ２８が配設されている。上述したように、第１ストッパ２７は、ブラケット２１の底面２１ａの一部を起立させで形成され、第２ストッパ２８は、ブラケット２１の底面２１ａの一部で構成されている。このため、第１ストッパ２７の板面と第２ストッパ２８の板面とは垂直である。第１ストッパ２７は、ネジ２２により正方向に回動された可動爪２３を、掛止位置に係止する機能を有し、第２ストッパ２８は、ネジ２２により逆方向に回動された可動爪２３を、待避位置に係止する機能を有する。
【００４７】
掛止位置は、図６に示すように、可動爪２３がレンズ装置１の鏡筒２の段差部４を掛止可能となる方向に起立した位置である。この掛止位置に位置づけられた可動爪２３は、フィルタ装置１０の内側に向かって、ブラケット２１から起立した状態となる。一方、待避位置は、図５に示すように、可動爪２３がレンズ装置１の鏡筒２の段差部４と接触しない方向に待避させた位置である。この待避位置に位置づけられた可動爪２３は、ブラケット２１内に収納されるように寝かされた状態となる。第１ストッパ２７と第２ストッパ２８は、ネジ２２による可動爪２３の回動範囲を規制するために設けられており、この第１ストッパ２７と第２ストッパ２８の存在により、可動爪２３は、掛止位置（図６）と待避位置（図５）との間で例えば約９０度だけ回動可能となる。
【００４８】
かかる第１ストッパ２７及び第２ストッパ２８によって可動爪２３の回動範囲を規制することで、ネジ２２の回転に伴う可動爪２３の動作が、ネジ２２を中心とした回動から、ネジ２２の軸方向（光軸方向へ）の移動に切り替わる。例えば、ネジ２２を正方向（右方向）に回したときには、可動爪２３は、ネジ２２とともに正方向に回動して第１ストッパ２７に当接すると、それ以上回動できなくなり、第１ストッパ２７により掛止位置で係止された状態となる（図６参照。）。この状態でさらにネジ２２を正方向に回すと、ネジ２２に螺嵌されている可動爪２３は、掛止位置のままでネジ２２に対して相対的に回動するため、ネジ作用により、可動爪２３はフィルタ装置１０の前面方向（手前側）に移動する。
【００４９】
同様に、ネジ２２を逆方向（左方向）に回したときには、可動爪２３は、ネジ２２とともに逆方向に回動して第２ストッパ２８に当接すると、それ以上回動できなくなり、第２ストッパ２８により待避位置で係止された状態となる（図５参照。）。この状態でさらにネジ２２を逆方向に回すと、ネジ２２に螺嵌されている可動爪２３は、待避位置のままでネジ２２に対して相対的に回動するため、ネジ作用により、可動爪２３はフィルタ装置１０の背面方向（奥側）に移動する。
【００５０】
以上のような構造の装着具２０を、フィルタ装置１０に複数取り付けることで、フィルタ装置１０をレンズ装置１に容易かつ確実に着脱可能となる。即ち、フィルタ装置１０のフレーム１２をレンズ装置１の前面に嵌合した状態で、可動爪２３を回動させて掛止位置に位置づけ、さらに可動爪２３を正面側に移動させる。これにより、起立した可動爪２３とフレーム１２とによってレンズ装置１のフランジ３を挟持して、フィルタ装置１０をレンズ装置１に装着できる。装着したフィルタ装置１０を取り外すときには、可動爪２３を回動させて待避位置に位置づけて、さらに可動爪２３を背面側に移動させる。これにより、可動爪２３によるレンズ装置１の段差部４の掛止が解除され、かつ、可動爪２３を寝かせた状態でブラケット２１内に収容・待避できる。これにより、可動爪２３が邪魔になることなく、フィルタ装置１０をレンズ装置１から取り外すことができる。
【００５１】
次に、図７を参照して、本実施形態にかかるフィルタ装置１０のフレーム１２に対する装着具２０の取付手法について説明する。図７は、本実施形態にかかるフィルタ装置１０を示す斜視図であり、説明の便宜上、フレームカバー１３を透視するように二点鎖線で示し、フィルタ１１にはハッチングを施してある。
【００５２】
図７に示すように、フィルタ装置１０のフレーム１２の両側に、２つの装着具２０Ａ、２０Ｂが取り付けられる。フレーム１２は、上述したように、上記フレームカバー１３とフレーム本体１４とから構成され、両者の間にフィルタ１１が挟持されている。装着具２０の取付時には、このフレームカバー１３とフレーム本体１４との間のスペースに、上記ブラケット２１の前側面２１ｂを挿入して、この前側面２１ｂがネジ１８によりフレーム本体１４に固定される。このようにブラケット２１の前側面２１ｂをフレーム本体１４の前面に固定し、かつ、ブラケット２１の右側面２１ｄ及び左側面２１ｅの切り欠き２１ｆをフレーム本体１４の外周部に嵌合させることで、装着具２０をフレーム１２に安定的に固定できる。さらに、装着具２０がフレーム１２の外側に過度に突出しないように取り付けて、フィルタ装置１０をコンパクトな構造にできる。
【００５３】
ところで、このように装着具２０を取り付ける場合、フレーム１２に対するブラケット２１の取付位置に、ブラケット２１の前側面２１ｂの取付スペースを確保する必要がある。ところが、仮にフィルタ１１の形状を従来のような円板状にしたのでは、フィルタ１１の外縁部と、ブラケット２１の前側面２１ｂとが重なってしまい、取付スペースを確保できない。
【００５４】
そこで、本実施形態では、円板状のフィルタ１１の外縁部のうち、少なくとも、フレーム１２に対するブラケット２１の取付位置に対応する部分を切り欠いている。具体的には、図７に示すように、円板状のフィルタ１１の外縁部は、上下左右の４箇所で直線的にカットされて切り欠き１１ａが形成されており、このうち左右二箇所は装着具２０のブラケット２１の取付位置に対応している。このようにフィルタ１１の外縁部に切り欠き１１ａを形成することで、フレームカバー１３とフレーム本体１４との間に、ブラケット２１の前側面２１ｂの取付スペースを確保できる。
【００５５】
さらに、フレームカバー１３には、かかるフィルタ１１の切り欠き１１ａに対応する位置及び形状で、幅広部１３ａが形成されている。かかる幅広部１３ａを有するフレームカバー１４により、切り欠かれたフィルタ１１の外縁部を隙間無く保持できる。従って、フレームカバー１４の内側とフィルタ１１の外縁部との隙間から、フィルタ装置１０内にゴミ等の異物が侵入することを防止できる。
【００５６】
以上、本実施形態にかかるフィルタ装置１０の装着機構の構成について詳述した。次に、図８〜図１０を参照して、本実施形態にかかるフィルタ装置１０の装着機構を用いて、フィルタ装置１０をレンズ装置１に装着する方法について説明する。図８〜図１０は、本実施形態にかかるフィルタ装置１０の装着機構を用いた装着方法の各工程図である。
【００５７】
フィルタ装置１０をレンズ装置１に装着する際には、まず、装着具２０の可動爪２３を待避位置にした状態で、フィルタ装置１０をレンズ装置１の前面側から取り付け、フィルタ装置１０のフレーム１２内に、レンズ装置１の鏡筒２の先端部にあるフランジ３を嵌合させる。これにより、フレーム１２のフレーム本体１４（若しくは、その内部に嵌合されたアダプタ１６）は、レンズ装置１のフランジ３と隙間無く嵌合して、当該フランジ３を保持する。この取付時には、可動爪２３が待避位置に位置づけられているので、レンズ装置１の鏡筒２に接触することなく、フィルタ装置１０をレンズ装置１に円滑に取り付けできる。
【００５８】
このようにして、フィルタ装置１０をレンズ装置１に取り付けた状態を図８に示す。図８に示すように、可動爪２３は、第２ストッパ２８により係止されて待避位置にあり、ブラケット２１内に待避して、寝かせられた状態となっている。また、可動爪２３は、ネジ２２の後端部側、即ち、フィルタ装置１０の背面方向側に位置している。
【００５９】
次いで、フィルタ装置１０の前面側から、手でネジ２２の摘み２６を正方向に回す。以下の説明では、正方向を右回し方向とし、逆方向を左回し方向とする例について説明するが、これとは逆に、正方向を左回し方向としてもよい。
【００６０】
摘み２６を右方向に回すことで、摘み２６と一体化されたネジ２２が右方向に回転し、このネジ２２に螺嵌された可動爪２３に回転力が伝わり、ネジ２２とともに可動爪２３が右方向に回動して、第１ストッパ２７に衝突するまで回動する。このとき可動爪２３がネジ２２とともに好適に回動するのは、バネ２５により可動爪２３が光軸方向に押圧されているため、ネジ２２の回転力が可動爪２３に好適に伝達されるからである。
【００６１】
かかる可動爪２３の回動により、図９に示すように、可動爪２３は、フィルタ装置１０の内側に向けて、ブラケット２１から起立した状態となり、第１ストッパ２７により係止されて掛止位置に位置づけられて、レンズ装置１の鏡筒２に形成された段差部４に入り込む。この段差部４は、レンズ装置１の鏡筒２の最大径部であるフランジ３の背面側にある凹部である。
【００６２】
次いで、さらに摘み２６を右方向に回し続けると、可動爪２３は、第１ストッパ２７に係止されているため、それ以上右方向に回動できないので、掛止位置のままネジ２２に沿ってフィルタ装置１０の前面側（手前側）に移動する。この結果、可動爪２３は、レンズ装置１の段差部４の段差面４ａに当接する。この段差面４ａは、上記フランジ３の背面に相当する。
【００６３】
さらに、摘み２６を右方向に強く回すと、図１０に示すように、可動爪２３がフィルタ装置１０の前面側にさらに移動しようとするため、可動爪２３がレンズ装置１の段差面４ａを強く締め付けて、段差部４を掛止する。これによって、フィルタ装置１０のフレーム１２と可動爪２３は、光軸方向前後からレンズ装置１のフランジ３を挟持するので、フィルタ装置１０をレンズ装置１にしっかりと固定することができる。以上のようにして、本実施形態にかかる装着機構を用いて、フィルタ装置１０がレンズ装置１に装着される。
【００６４】
その後、上記のようにして装着されたフィルタ装置１０をレンズ装置１から取り外す際には、フィルタ装置１０の前面側から、手でネジ２２の摘み２６を逆方向（左方向）に回す。摘み２６を左方向に回すことで、摘み２６と一体化されたネジ２２が左方向に回転し、このネジ２２に螺嵌された可動爪２３が、ネジ２２に沿ってフィルタ装置１０の背面方向に移動して、レンズ装置１の段差面４ａから離隔する。
【００６５】
さらに、摘み２６を左方向に回し続けると、可動爪２３はネジ２２とともに、ネジ２２とともに左方向に回動して、掛止位置から、第２ストッパ２８に衝突する待避位置まで回動する。かかる可動爪２３の回動により、可動爪２３は、第２ストッパ２８により掛止された待避位置に位置づけられ、フィルタ装置１０のフレーム１２よりも外側、即ち、レンズ装置１のフランジ３よりも外側に移動する。これにより、可動爪２８によるレンズ装置１の段差部４の掛止が解除される。この状態で、フィルタ装置１０を前面側（手前側）に引っ張ることで、可動爪２３をレンズ装置１の鏡筒２に接触させることなく、フィルタ装置１０をレンズ装置１から取り外すことができる。
【００６６】
なお、フィルタ装置１０のフレーム１２の内径と直径が異なるレンズ装置１に対しても、フィルタ装置１０のフレーム１２内に嵌めるアダプタ１６（図４参照。）を、当該レンズ装置１のフランジ３の外径に応じたサイズのものに交換することで、上記装着機構を利用できる。
【００６７】
以上、本実施形態にかかるフィルタ装置１０の装着機構と、これを用いてフィルタ装置１０をレンズ装置１に着脱する方法について説明した。本実施形態にかかる装着機構によれば、例えば、映画館で使用するプロジェクタなどの大きなレンズ装置１の前面に、フィルタ装置１０を容易かつ確実に装着することができる。このとき、レンズ装置１のフランジ３に、フィルタ取付用のネジ溝等が形成されていない場合であっても、フィルタ装置１０をレンズ装置１に装着できる。
【００６８】
また、かかる装着機構を用いることで、レンズ装置１自体には、フィルタ装置１０を取り付けるためのネジ溝などを形成する必要が無いので、多様なレンズ装置１に対応できる。また、フィルタ装置１０をレンズ装置１に着脱するときには、ネジ２２の摘み２６を手で回すだけでよく、工具を必要としないので、作業者は容易かつ迅速に脱着作業を遂行できる。
【００６９】
さらに、かかる装着機構を具備したフィルタ装置１０は、アダプタ１６等を使用することで、レンズ径が相異なる各種サイズのレンズ装置１に対応でき、汎用性が高い。
【００７０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００７１】
例えば、上記実施形態では、プロジェクタに据え付けられたレンズ装置１の例を挙げたが、本発明はかかる例に限定されない。レンズ装置は、例えば、デジタルカメラ、デジタルビデオカメラ、業務用カムコーダ、監視カメラなどの撮像装置、投影装置、検査装置など、各種の光学機器、電子機器に適用されるものであってよい。
【００７２】
また、上記実施形態では、フィルタ装置１０のフィルタ１１として、減光用のＮＤフィルタの例を挙げたが、本発明はかかる例に限定されまい。フィルタは、例えば、所定の波長の光だけを低下させるフィルタ、３Ｄフィルタなど、任意のフィルタであってもよい。
【００７３】
また、ネジ２２を支持する支持部材の構造は、上記実施形態にかかるブラケット２１の例に限定されず、フレーム１２の外側で光軸方向に延びるネジ２２を回動可能に支持するものであれば、任意の構造に設計変更してもよい。
【図面の簡単な説明】
【００７４】
【図１】本発明の第１の実施形態にかかるフィルタ装置が装着されたレンズ装置を示す斜視図である。
【図２】同実施形態にかかるフィルタ装置を前面側から見た斜視図である。
【図３】同実施形態にかかるフィルタ装置を背面側から見た斜視図である。
【図４】同実施形態にかかるフィルタ装置とアダプタを示す分解斜視図である。
【図５Ａ】同実施形態にかかるフィルタ装置の装着機構において可動爪を寝かせた状態を示す斜視図である。
【図５Ｂ】図５Ａの部分拡大図である。
【図６Ａ】同実施形態にかかるフィルタ装置の装着機構において可動爪を起立させた状態を示す斜視図である。
【図６Ｂ】図６Ａの部分拡大図である。
【図７】同実施形態にかかるフィルタ装置を示す部分透視斜視図である。
【図８Ａ】同実施形態にかかる装着機構を用いた装着方法の第１工程を示す側面図である。
【図８Ｂ】同実施形態にかかる装着機構を用いた装着方法の第１工程を示す部分拡大斜視図である。
【図９Ａ】同実施形態にかかる装着機構を用いた装着方法の第２工程を示す側面図である。
【図９Ｂ】同実施形態にかかる装着機構を用いた装着方法の第２工程を示す部分拡大斜視図である。
【図１０Ａ】同実施形態にかかる装着機構を用いた装着方法の第３工程を示す側面図である。
【図１０Ｂ】同実施形態にかかる装着機構を用いた装着方法の第３工程を示す部分拡大斜視図である。
【符号の説明】
【００７５】
１    レンズ装置
２    鏡筒
３    フランジ
４    段差部
４ａ    段差面
１０    フィルタ装置
１１    フィルタ
１２    フレーム
１３    フレームカバー
１４    フレーム本体
１４ａ    受け部
１６    アダプタ
１６ａ    受け部
２０    装着具
２１    ブラケット
２２    ネジ
２３    可動爪
２４    止め輪
２５    バネ
２６    摘み
２７    第１ストッパ
２８    第２ストッパ
【図１】
2009169088.tif 000003
【図２】
2009169088.tif 000004
【図３】
2009169088.tif 000005
【図４】
2009169088.tif 000006
【図５Ａ】
2009169088.tif 000007
【図５Ｂ】
2009169088.tif 000008
【図６Ａ】
2009169088.tif 000009
【図６Ｂ】
2009169088.tif 000010
【図７】
2009169088.tif 000011
【図８Ａ】
2009169088.tif 000012
【図８Ｂ】
2009169088.tif 000013
【図９Ａ】
2009169088.tif 000014
【図９Ｂ】
2009169088.tif 000015
【図１０Ａ】
2009169088.tif 000016
【図１０Ｂ】
2009169088.tif 000017